(57)【要約】【課題】地震などによって建具が開かなくなった場合でも、建具の一部に設けた脱出口から脱出または救出することができる室内用建具を提供する。【解決手段】ドアや引き戸等の建具の一部に緊急脱出口を設け、かつ通常は脱出口があることが分からないように、脱出口の上に紙やクロスを貼り付けるか、あるいは木やプラスチックや金属のモールを取りつけて境界が見えないようにしたものである。また、建具本体が変形しても脱出口が開くように、脱出口と建具本体の間に、容易に破壊可能な材料や弾性体を介在させた。【選択図】図１
2009174311.tif 000002
【特許請求の範囲】
【請求項１】
建物内の部屋の出入り口等に設けるドアや引き戸などの建具であり、地震などで該建具本体が開かなくなっても脱出または救出が可能なように、該建具のほぼ中央下部に取り外し又は開けることが可能な脱出口を設け、該脱出口と建具本体の境界が隠されていることを特徴とする建具。
【請求項２】
脱出口と建具本体の境界を隠す方法が、脱出口を含む建具外面に紙や布などのシート状部材を貼り付けることによる請求項１記載の建具。
【請求項３】
脱出口と建具本体の境界を隠す方法が、脱出口と建具本体の境界に帯状又は棒状の部材を取り付けることによる請求項１記載の建具。
【請求項４】
建具本体が変形しても、建具に設けた脱出口を開けることができるように、脱出口の閉塞部材が容易に破壊できる材料を介して建具本体に保持されていることを特徴とする請求項１記載の建具。
【請求項５】
建具本体が変形しても、建具に設けた脱出口を開けることができるように、脱出口の閉塞部材がゴムやばねなどの弾性体を介して建具本体に保持されていることを特徴とする請求項１記載の建具。
【請求項６】
建物内の部屋の出入り口等に設けるドアや引き戸などの建具であり、地震などで該建具本体が開かなくなっても、部屋の内側からのみ容易に開けられる開口部と、部屋の外側から容易に開けるか又は破壊できる別の隠し開口部が設けられていることを特徴とする建具。
【発明の詳細な説明】
【技術分野】
【０００１】
本発明は、地震などによって建具が開かなくなった場合でも、建具の一部に設けた脱出口から脱出または救出することが出来る建具である。
【背景技術】
【０００２】
従来、玄関ドアに非常用脱出口を設ける発明はなされているが、建物内部の間仕切り用のドアや引き戸に脱出・救出口を設けた例はほとんど見当たらない。
【先行技術文献】
【特許文献】
【０００３】
【特許文献１】特開平９−８８４４６
【特許文献２】実登３０２４８９６
【発明の概要】
【発明が解決しようとする課題】
【０００４】
本発明は、建物内部の部屋の出入り口等に使用されるドアや引き戸に緊急脱出または救出用の脱出口を設けることにより、地震などの災害時に高齢者など弱者が逃げ遅れることのないように、または逃げ遅れた場合に速やかに救出活動ができるようにしたものであり、かつ通常使用時は和室、洋室等各種デザインを組み込まれた建具として使用できるものである。
【課題を解決するための手段】
【０００５】
本発明は、ドアや引き戸等の建具の一部に緊急脱出口を設け、かつ通常は脱出口があることが分からないように、脱出口の上に紙やクロスを貼り付けるか、あるいは木やプラスチックや金属のモールを取りつけて境界が見えないようにしたものである。
【０００６】
また、室内に使用する建具は一般的に剛性が低いので、震災時の建物の変形により、建具本体が変形する可能性があるので、このような場合にも脱出口が開くように、脱出口と建具本体の間に、容易に破壊可能な材料や弾性体を介在させる。
【発明の効果】
【０００７】
震災時に開口部内部に閉じ込められても自力で開口部内から脱出することができ、自力で脱出できず救出を求める場合においては、開口部外部から救出を必要とする対象に対して、救助することが出来る。
【０００８】
脱出口があることが分からないように、脱出口の上に紙やクロスを貼り付けるか、あるいは木やプラスチックや金属のモールを取りつけて境界が見えないようにしてあるので、通常使用時は和室、洋室等各種デザインを組み込まれた建具として使用できる。
【０００９】
脱出口を開けるには一部を破壊することになるので、通常の生活では脱出口の存在を意識する必要はなく、従ってプライバシーも保たれる。
【図面の簡単な説明】
【００１０】
【図１】本発明による緊急脱出・救出口付き建具の斜視図
【図２】図１のＡ−Ａ断面図
【図３】緊急脱出・救出口を帯状の部材で隠した例
【図４】緊急脱出・救出口が容易に破壊できる材料を介して建具本体に保持されている例
【図５】緊急脱出・救出口が弾性体を介して建具本体に保持されている例
【図６】部屋の内側から容易に開けられる開口部と部屋の外側から容易に破壊できる開口部が設けられた建具の例
【発明を実施するための形態】
【００１１】
本発明の実施の形態を図１〜図６を用いて説明する。
図１は本発明による緊急脱出・救出口付き建具の斜視図であり、隠し開口部を建具のほぼ中央下部に設け、表面をクロスなどで被覆することにより通常の建具となんら変わらない外観にしたものである。
【００１２】
図２は図１におけるＡ−Ａ断面である。建具本体側の開口部２は桟３により矩形の枠を構成し、開口部の閉塞部材２ａも同様に桟４で矩形の枠を構成し、それぞれの表裏に合板を貼り付け、閉塞部材２ａを開口部２に嵌めて軽く固定する。
その後、表裏に紙やクロスを貼り付ける。
【００１３】
図３は紙やクロスを貼り付ける代わりに、開口部２と閉塞部材２ａの境界線上に帯状の部材（モール）７を取りつけた例である。モールの取りつけ強度を加減することにより緊急時には例えば足で蹴れば容易に閉塞部材２ａが外れる程度に設定することができる。
【００１４】
図４は地震などにより建具本体１が例えば平行四辺形状に変形しても、脱出口を開けられるように、脱出口の閉塞部材２ａを容易に破壊できる材料１０（例えば発泡ポリスチレンや石膏や細い木材）を介して建具本体１に保持した例である。
【００１５】
図５は上記と同様の目的で、脱出口の閉塞部材２ａを弾性体１１（ゴムやばねなど）を介して建具本体１に保持した例である。
【００１６】
図６は請求項６の実施例であり、閉塞部材２０ａは部屋の内側からは押すだけで外せるが、部屋の外側からは押しても開かず、引くための取っ手も無いため容易には開けられない脱出口付き建具である。
しかし、閉塞部材２０ａの一部又は建具本体１の一部に、容易に破壊できる開口部２１を設けてあるので、開口部２１の場所を知っている人は、緊急時にこの開口部２１の閉塞部材２１ａを破壊して開き、閉塞部材２０ａを手前に引いて脱出口２０を開けることができ
る。
これは例えば、家族と同居している力の弱い高齢者の居室に適している。
【符号の説明】
【００１７】
１    建具本体（ドアや引き戸）
２    緊急脱出・救出口
２ａ  緊急脱出・救出口の閉塞部材
３    建具本体側の桟
４    緊急脱出・救出口側の桟
５    合板
６    紙や布
７    帯状の部材（モール）
１０  容易に破壊できる部材
１１  弾性体
２０  部屋の内側から容易に開けられる脱出口
２０ａ  脱出口２０の閉塞部材
２１  部屋の外側から容易に破壊できる隠し開口部
２１ａ  脱出口２１の閉塞部材
【図１】
2009174311.tif 000003
【図２】
2009174311.tif 000004
【図３】
2009174311.tif 000005
【図４】
2009174311.tif 000006
【図５】
2009174311.tif 000007
【図６】
2009174311.tif 000008